(57)【要約】【課題】本発明は、浴槽の湯水を使ってシャワー状に湯水を流出して体の石鹸を効率よく洗い流し、体にかける湯水の量が無駄にならない手桶、あるいは溜まり水を収容した貯水容器から容易に水を汲み上げて鉢植えの花等に水やりの出来る手桶を得るにある。【解決手段】上部に開口部を持つ容器と、該開口部の上縁付近に設けて開口部の一部を閉塞して複数の孔を形成した蓋体と、前記容器と一体に形成され該容器を支持する柄とで手桶を構成している。【選択図】    図１  
2005278984.tif 000002
【特許請求の範囲】
【請求項１】
上部に開口部を持つ容器と、該開口部の上縁付近に設けて開口部の一部を閉塞して複数の孔を形成した蓋体とからなることを特徴とする手桶。
【請求項２】
上部に開口部を持つ容器と、該開口部の上縁付近に設けて開口部の一部を閉塞して複数の孔を形成した蓋体と、前記容器と一体に形成され該容器を支持する柄とからなることを特徴とする手桶。
【請求項３】
上部に開口部を持つ容器と、該開口部の上縁付近に設けて開口部の一部を閉塞して複数の孔を形成した蓋体と、前記容器の円周方向の任意の位置で支持する柄とからなることを特徴とする手桶。
【請求項４】
上部に開口部を持つ容器と、前記容器の上部周縁に対向する２つの軸支孔を形成し該軸支孔に軸支される枢軸を対向して形成した蓋体とからなり、該蓋体は複数の孔を形成すると共に容器内を揺動可能とし、前記容器の上縁付近に配設した当接片に当接して揺動停止することにより前記開口部の上縁付近で開口部の一部を閉塞することを特徴とする手桶。
【発明の詳細な説明】
【技術分野】
【０００１】
本発明は、湯水をシャワー状に流出できる手桶に関する。
【背景技術】
【０００２】
従来の浴用の手桶は開口部側が大きい円錐形の容器に柄を一体に成形したものがある。（例えば、非特許文献１参照）
例えば浴槽の湯水を毎日排水する無駄を節約する為、入浴中に浴槽の湯水を汲み上げて体に付いた石鹸を流すが、この時に浴用の手桶が使われる。
しかし、一度に沢山の湯水を手桶から流し出すと石鹸を流す役割を果たす湯水の量よりも無駄に流れてしまう湯水の量が多く、汲み上げた湯水が有効に使われていない。浴槽の湯水を無駄なく使うためには、手桶から湯水を細くして少しずつ流れ出るように体にかければ良い。しかし湯水の流れが細いと体の一部の石鹸しか流せないので、手桶を揺動させて湯水が満遍なく体にかかるようにするが、手桶を揺動させると流す湯水の量が調節できず、多く流れ出て無駄になったり、流れが止まったりしてしまう。そのため、体に付いた石鹸を全て洗い流すには、湯水が無駄になっても前記の作業を何回も繰り返すか、手桶から何回も勢い良く体にかけるかのどちらかであるが、どちらの方法も沢山の湯水量を使わなければならないので無駄であり、石鹸を洗い流す時間がかかり浴槽の湯水が早く減少してしまうという欠点があった。
【０００３】
また、従来の浴用の手桶は開口部側が大きい円錐形の容器に柄を一体に成形し、該容器の底に複数の穿孔を施したものがある。（例えば、特許文献１参照）
しかし、湯水を汲み上げた時、体の上方へ該手桶を持ち上げる前に既に放水が始まっているので、湯水をかけたい位置を決めるまでの時間に無駄に湯水が流出してしまうという欠点があった。
また、容器の底面は柄より下方に位置するので、手桶を持った手を容器の高さ分だけ高く持ち上げなければならない。さらに例えば手桶を右手に持って左肩に湯水をかけるときは容器の高さ分だけ余分に高く腕を持ち上げて右の腕と肩を捻らなければならないので子供や高齢者にとっては苦痛であるという欠点があった。
【０００４】
また、従来貯水容器から水を汲み上げて鉢植えの花等に水やりする道具としてじょうろがある。（例えば、特許文献２参照）
従来、貯水容器の水をじょうろに補給する場合はじょうろのパイプ部を持って本体側の水投入口を貯水容器の水の中に沈めてじょうろ本体内に水を補給した後、本体側の取手に持ち替えてから水やりをしなければならないという煩わしさがあった。また貯水の中にじょうろ本体を沈めた時じょうろの握手も一緒に水没するので濡れてしまい、本体内に水を補給した後握手に持ち替えると手が濡れてしまうという欠点があった。
【０００５】
【非特許文献１】意匠登録第１１１３９７９号公報（第１頁、右側面図）
【特許文献１】特開２００４−０８１２７０号公報（第３頁、図１）
【特許文献２】実開昭５１−１１５６０５号公報（第１頁、第１図）
【発明の開示】
【発明が解決しようとする課題】
【０００６】
本発明は以上のような従来の欠点に鑑み、浴槽の湯水を使って体の石鹸を効率よく洗い流し、体にかける湯水の量が無駄にならない手桶、あるいは貯水容器から容易に水を汲み上げて鉢植えの花等に水やりの出来る手桶を提供することを目的としている。    
【課題を解決するための手段】
【０００７】
上記目的を達成する為に、上部に開口部を持つ容器と、該開口部の上縁付近に設けて開口部の一部を閉塞して複数の孔を形成した蓋体とで手桶を構成している。
【発明の効果】
【０００８】
本発明によれば次のような効果が得られる。
【０００９】
（１）上部に開口部を持つ容器と、該開口部の上縁付近に設けて開口部の一部を閉塞して孔を形成した蓋体とで手桶を構成しているので、従来の手桶と同様な使い方をしても、手桶内の湯水が短時間に大量に流れ出すことがなく、複数の孔から時間をかけて流れ出すので、シャワー効果で広い面積に付いた体の石鹸を少ない湯水の量で効率よく洗い流すことができる。
【００１０】
（２）従来の手桶は湯水を流しながら揺動して体の石鹸を洗い流すが、揺動すると手桶内の湯水が揺れて流しだす量を調節できないが、本発明の手桶は、湯水が流れ出す傾きを大きくしても孔から流れ出す量に大きな変化はない。従って本発明の手桶を揺動させて中の湯が揺れても孔から流れ出す量に大きな変化はないので湯を無駄に流すことなく、広い面積に付いた体の石鹸を少ない湯水の量で効率よく洗い流すことができる。
【００１１】
（３）湯水を手桶に汲み上げ、体にかけたい位置まで手桶を移動しても、その間に湯水が流出することは無い。
【００１２】
また、手桶の湯水の出る蓋体の位置と手で保持する位置が近いので、湯水をかけたい位置を狙い易く、例えば手桶を右手に持って左肩に湯水をかけるときでも右の腕と肩を無理に捻らなくても左肩に届くので子供や高齢者でも容易にかけ湯ができる。
【００１３】
（４）また、請求項３と請求項４によれば、本発明の手桶を使用する者自身の体の石鹸を洗い流す時は柄より容器を上にして使うが、入浴中の幼児の石鹸を洗い流す時あるいは浴室内の清掃で洗剤を洗い流す時には、柄より容器を下にして使う等、手桶の用途が拡がる。
【００１４】
（５）貯水容器から水を汲み上げて鉢植えの花等に水やりする時、柄を持って手桶容器を貯水容器の水の中に沈めて該手桶容器内に水を供給した後、そのまま水やりの動作に入ることが出来るので、じょうろのように柄を持ち替える手間やその都度手が濡れるという煩わしさがない。
【発明を実施するための最良の形態】
【００１５】
本発明は、図１に示す上部に開口部を持つ容器１と開口部を一部分閉塞して孔２を形成した蓋体３とで実施の主たる形態を構成している。
【００１６】
以下、本発明の実施の形態について説明する。
【実施例１】
【００１７】
図１、図２及び図３における本発明の第1の実施の形態において、本発明の手桶１は開口部を持つ容器２の上部の周縁に複数の孔４が穿孔された蓋体５を係止している。容器２は柄３と一体に形成されている。容器２は開口部全体を蓋体５で閉塞されておらず、一部は図２に示すように開放されている。
蓋体５は図３のＡ部拡大図に示すように容器２の上部外周に複数の係止孔７を形成し、該孔７に対応した突起６を蓋体５に形成することにより容器２に蓋体５が係止されている。
本発明の手桶１を使用する時は、手桶１の柄３を持って浴槽の湯水１２を汲み図４のごとく傾斜させる。この時汲まれた湯水１２は蓋体５の側へ流れ、孔４を通過して容器２の外へシャワー状となって流出するので、流れ出した湯水１２は無駄に流れることなく効率よく体に付いた石鹸を洗い流す。
図２に示すように、蓋体５は容器２の中央付近は開放してあるが円周方向に延長してあるので、手桶１の傾きはＢの方向に下げる（図４の傾き方向）だけでなくＣ或いはＤの方向に下げても前記と同様の作用効果が得られる。
本発明の手桶１は蓋体５を設けているが、容器２開口部を一部閉塞しているだけなので、浴槽の湯水をくみ上げても従来の蓋体が無い手桶と同様に汲み上げができる。
なお、蓋体５は容器２に接着剤で固着されるか、或いは容器２と一体に形成されていたとしても前記と同様の効果を得ることが出来る。
孔４は孔径の大きさを変えることで一回のシャワー時間を長くすることが出来る。
また、手桶１は図１に示すように通常開口部の上縁部に柄３を一体的に形成してあるが、該柄３の代わりにビールジョッキ様の握りを一体に形成あるいは取り付けしても良い。
【実施例２】
【００１８】
次に本発明の異なる実施の形態について説明する。
なお、これらの本発明の異なる実施の形態の説明に当たって、前記本発明の実施例１の形態と同一構成部分には同一符号を付して重複する説明を省略する。              
【００１９】
図５における本発明の第２の実施の形態において、前記本発明の第１の実施の形態と主に異なる点は、容器２の上部外周に軸支孔８、８を対向して形成し該軸支孔８、８に軸支される枢軸９、９を蓋体５に対向して形成している。
【００２０】
手桶１が図６のように通常の姿勢にあるとき蓋体５は自重で垂直に下がっているが、矢印Ｅの方向に自由に揺動可能としてある。容器２の上縁部には当接片１０、当接片１１を設け蓋体５の揺動端としている。
【００２１】
蓋体５が当接片１０或いは当接片１１に当接した時、容器２の開口部の一部は閉塞されることになる。
【００２２】
手桶１の柄３を持って浴槽の湯水を汲み上げる際、蓋体５は容器２内に流入する湯水の流れに従って揺動するので湯水の流入を妨げることはない。
湯水１２を汲み上げた後、図７のごとく手桶１を傾斜させると汲まれた湯水１２は当接片１０の方へ流れる。また、蓋体５も手桶１の傾斜に従って当接片１０の方へ揺動する。
さらに蓋体５は湯水１２の流れに押されて揺動し当接片１０に当接すると容器２の開口部の一部は閉塞され、湯水１２は孔４を通過して容器２の外へシャワー状となって流出するので、前記本発明の第１の実施の形態と同様な作用効果が得られる。
なお、図6では枢軸９、９は蓋体５の端部に位置しており手桶の傾きによっては蓋体５の上側から湯水１２が溢れ出ることがあるが、蓋体５を枢軸９、９の反対側に若干延長すれば手桶１が早く傾きはじめても溢れ出るのを防ぐことが出来る。
【００２３】
また、容器２に湯水１２を入れて図８に示す方向に手桶１を傾ければ汲まれた湯水１２は当接片１１の方へ流れる。また、蓋体５も手桶１の傾斜に従って当接片１１の方へ揺動する。
さらに蓋体５は湯水１２の流れに押されて揺動し当接片１１に当接すると容器２の開口部の一部は閉塞され、湯水１２は孔４を通過して容器２の外へシャワー状となって流出するので、前記本発明の第１の実施の形態と同様な作用効果が得られる。
また、本発明の手桶１を使用する者自身の石鹸を洗い流す時は、図７に示すように柄３より容器２を上にして使うが、入浴中の幼児の石鹸を洗い流す時あるいは浴室内の清掃で洗剤を洗い流す時には、図８に示すように柄３より容器２を下にして使うことができる。
また、貯水容器から水を汲み上げて鉢植えの花等に水やりする時、柄を持って容器２を貯水容器の水の中に沈めて該容器２内に水を供給した後、図８のごとく手桶１を傾斜させると、前記と同様に水は容器２の外へシャワー状となって流出するので、そのまま水やりの動作に入ることが出来るため従来のじょうろのように柄を持ち替える手間やその都度手が濡れるという煩わしさが解消される。    
【実施例３】
【００２４】
図９における本発明の第３の実施の形態において、前記本発明の第１の実施の形態と主に異なる点は、柄３の位置は蓋体５に対して容器２の反対位置に配置した構成である。
入浴中の幼児の石鹸を洗い流す時あるいは浴室内の清掃で洗剤を洗い流す時には、図１０に示すように柄３より容器２を下にして使えるので、本発明の第１の実施の形態と同様な作用効果が得られる。
また、貯水容器から水を汲み上げて鉢植えの花等に水やりする時、柄３を持って容器２を貯水容器の水の中に沈めて該容器２内に水を補給した後、図１０のごとく手桶１を傾斜させると、前記と同様に水は容器２の外へシャワー状となって流出するので、本発明の第２の実施の形態と同様な作用効果が得られる。また、従来のじょうろと同様に水道の蛇口から水を補給して使用することも出来る。  
【実施例４】
【００２５】
図１１、図１２における本発明の第４の実施の形態において、前記本発明の第１の実施の形態と主に異なる点は、図１１に示すように柄３は先端に環状の容器受け３ａを一体的に形成し、該容器受け３ａの中に容器２を嵌入固定しているので、蓋体５と柄３との円周方向の位置関係は任意に設定できる。図１２は柄３の位置を蓋体５に対して容器２の反対位置に配置した構成である。
本発明の手桶１を使用する者自身の石鹸を洗い流す時は図４と同様の傾きで柄３より容器２を上にして使うが、入浴中の幼児の石鹸を洗い流す時あるいは浴室内の清掃で洗剤を洗い流す時には、図１０と同様の傾きで柄３より容器２を下にして使う等手桶の使い分けができるので、本発明の第１の実施の形態と同様な作用効果が得られる。
【産業上の利用可能性】
【００２６】
部品洗浄や農薬散布等にも利用できる。
【図面の簡単な説明】
【００２７】
【図１】第1の実施の形態における側面の断面図。
【図２】第1の実施の形態における平面図。
【図３】第1の実施の形態における図２のＡ部拡大図。
【図４】第1の実施の形態における使用中の側面の断面図。
【図５】第２の実施の形態における平面図。
【図６】第２の実施の形態における側面の断面図。
【図７】第２の実施の形態における使用中の側面の断面図。
【図８】第２の実施の形態における異なる使用中の側面の断面図。
【図９】第３の実施の形態における平面図。
【図１０】第３の実施の形態における使用中の側面の断面図。
【図１１】第４の実施の形態における使用中の側面の断面図。
【図１２】第４の実施の形態における平面図。
【符号の説明】
【００２８】
１、手桶
２、容器
３、柄
３ａ、容器受け
４、孔
５、蓋体
６、突起
７、係止孔
８、軸支孔
９、枢軸
１０、当接片
１１、当接片
１２、湯水 
【図１】
2005278984.tif 000003
【図２】
2005278984.tif 000004
【図３】
2005278984.tif 000005
【図４】
2005278984.tif 000006
【図５】
2005278984.tif 000007
【図６】
2005278984.tif 000008
【図７】
2005278984.tif 000009
【図８】
2005278984.tif 000010
【図９】
2005278984.tif 000011
【図１０】
2005278984.tif 000012
【図１１】
2005278984.tif 000013
【図１２】
2005278984.tif 000014